(57)【要約】    【課題】  用紙を正確に感光体面上の画像位置に合わせて転写位置へ送り出し、紙種間（薄紙／厚紙、摩擦係数大／小）、経時、クラッチ連結時間等の影響による縦レジストのばらつきを低減する。    【解決手段】  レジストローラの下流側で、且つ転写位置までの位置に用紙センサを設け、画像に対してタイミングを合わせてレジストローラから送られた用紙の先端がレジストローラオンから用紙センサの位置に達するまでの時間をカウントし、この時間に応じてレジストローラの回転数を増・減速することにより、レジストローラによる用紙送り速度の増・減速を行い、用紙先端が転写位置に到達する前にレジストローラの回転数を通常の回転速度に戻す。【選択図】    図１
2006248644.tif 000002
【特許請求の範囲】
【請求項１】
用紙と画像の位置合わせのタイミングを取るためのレジストローラと、当該レジストローラを駆動するためのモータと、当該モータを駆動するための駆動回路とを有し、
レジストローラの下流側で、且つ転写位置までの位置に用紙センサを設け、
画像に対してタイミングを合わせてレジストローラから送られた用紙の先端がレジストローラオンから用紙センサの位置に達するまでの時間をカウントし、
この時間に応じてレジストローラの回転数を増・減速することにより、レジストローラによる用紙送り速度（レジストローラ線速）の増・減速を行い、
用紙先端が転写位置に到達する前にレジストローラの回転数を通常の回転速度に戻すことでレジストローラ線速を通常の線速に戻すことを特徴とする画像形成装置。
【請求項２】
請求項１に記載の画像形成装置において、上記レジストローラ線速の増・減速時にて、
「増速時、増速開始から終了までの時間Ｔ間でのレジストローラによる用紙送り量」と「増速開始から終了までの時間Ｔの間、通常のレジストローラ線速Ｖ0で用紙を送った場合の用紙送り量（＝Ｖ0×Ｔ）」との差分ΔＬ、あるいは
「減速時、減速開始から終了までの時間Ｔ間でのレジストローラによる用紙送り量」と「減速開始から終了までの時間Ｔを通常のレジストローラ線速Ｖ0で用紙を送った場合の用紙送り量（＝Ｖ0×Ｔ）」との差分ΔＬが、
予め設定された「レジストローラオンから用紙先端が用紙センサの位置に達するまでの時間」の狙いの値と実測値との差分ΔＴと、通常のレジストローラ線速Ｖ0との積Ｖ0×ΔＴに等しくなるように、増・減速時のレジストローラ線速を設定することを特徴とする画像形成装置。
【請求項３】
請求項１又は２に記載の画像形成装置において、レジストローラ回転数の増・減速時、レジストローラより上流側にある用紙搬送ローラの回転数もレジストローラの増・減速の割合と同様に増・減速させることを特徴とする画像形成装置。
【請求項４】
請求項２又は３に記載の画像形成装置において、レジストローラ増・減速時のレジストローラ線速が固定された値であり、増・減速の時間Ｔを変化させることにより上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールすることを特徴とする画像形成装置。
【請求項５】
請求項２又は３に記載の画像形成装置において、レジストローラ増・減速の時間Ｔが固定された値であり、増・減速のレジストローラ線速を変化させることにより上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールすることを特徴とする画像形成装置。
【請求項６】
請求項２又は３に記載の画像形成装置において、レジストローラ増・減速時のレジストローラ線速が、複数の設定された値に変速可能であり、このレジストローラ線速と、増・減速の時間Ｔを組み合わせて変化させることにより、上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールすることを特徴とする画像形成装置。
【請求項７】
請求項１〜６のいずれか一項に記載の画像形成装置において、「レジストローラオンから用紙先端が用紙センサの位置に達するまでの時間」の狙いの値と実測値との差分ΔＴが大きすぎることにより、「増・減速時のレジストローラによる用紙送り量」と「増・減速開始から終了までの時間Ｔを通常のレジストローラ線速Ｖ0で用紙を送った場合の用紙送り量（＝Ｖ0×Ｔ）」との差分ΔＬが、
増速時、ΔＬ＜Ｖ0×ΔＴ    （増速時はΔＬ、ΔＴはプラスの値である）
減速時、ΔＬ＞Ｖ0×ΔＴ    （減速時はΔＬ、ΔＴはマイナスの値である）
となってしまう場合、用紙が転写位置に到達する前にレジストローラ線速を通常の線速に戻すことを特徴とする画像形成装置。
【発明の詳細な説明】
【技術分野】
【０００１】
本発明は、レーザプリンタ、複写機、ファクシミリ等の画像形成装置に関し、特に画像形成装置における用紙搬送、とりわけ縦レジストの補正方式に関するものである。
【背景技術】
【０００２】
【特許文献１】特開平７−２６１４８５号公報
【特許文献２】特開２００１−２０６５８３号公報
【特許文献３】特開２００２−１８７６４４号公報
【特許文献４】特開平９−１４２７０３号公報
【特許文献５】特開２０００−１４１８５７号公報
【０００３】
図７に示す例示的な画像形成装置１００において、画像形成部１０４の上方にはスキャナ手段１０１が配され、画像形成部１０４の下方には給紙装置１０５が配されている。給紙装置１０５から用紙が１枚ずつ分離され送り出され、用紙搬送路に配された搬送ローラによって画像形成部１０４へ送られる。感光体１２は回転駆動され、その際、帯電装置によって表面を帯電される。そして、図８に示すように、レーザー光学系からのレーザー光によって感光体１２に潜像書き込み１３が行われ、静電潜像が形成される。この潜像は、現像ユニット１４によって可視像化され、転写ローラ１５の作用のもとに、感光体へ搬送された用紙に可視像（感光体上のトナー画像）が転写される。転写後の用紙上の可視像は定着装置によって定着される。そして、定着装置から排出された用紙は、片面プリントの場合には、分岐爪の方向切り換えに従って、機外へ排出され、両面プリントの場合には、反転搬送路を通り画像面を反転させられて、裏面に画像を転写定着された後、機外へ排出される。
【０００４】
用紙搬送路における画像形成部の上流には、用紙の姿勢（向き）を調整し、且つ転写画像との同期をとるためにレジストローラ対１６が設けられている。用紙先端を停止しているレジストローラ対１６のニップに用紙を突き当てることによりスキュー補正する。次いで用紙はレジストローラの駆動オンにより感光体１２面上の画像位置とタイミングを合わせて画像形成部の転写位置（転写ローラ１５）へ送られることで、用紙に対する画像の用紙送り方向位置（縦レジスト）が一定となるように調整されている。
【０００５】
しかし、このようなやり方では、図９に示すように、レジストローラ対１６のニップに突き当たる用紙の先端位置は、薄紙と厚紙の間で、厚みの差に対応するずれが生じる。即ち、厚紙ではレジストローラ対のニップのより手前側で停止し、薄紙ではより近い位置で停止する。つまり、用紙の厚さが異なると用紙先端がレジストローラに突き当たって停止する位置が変化し、縦レジストがばらつく。
【０００６】
また、レジストローラの回転開始時に用紙搬送の負荷、用紙表面の状態（摩擦係数のばらつき等）等により用紙が若干スリップしてから搬送されることがあると、縦レジがばらつく。あるいは、レジストローラの回転のオンオフにクラッチを使用する場合、クラッチの連結時間のバラツキにより縦レジがばらつくといった不具合もあった。
【０００７】
薄紙、厚紙でレジストローラに突き当たる用紙先端位置のズレによる画像転写位置の変動を防ぐために、特許文献１では、レジストローラ下流に用紙先端検知センサを設け、レジストローラからセンサまでの時間を計測して基準値と比較し、センサ部で一担用紙を停止させた後の再スタートのタイミングを補正することが提案されている。また時間差を補償するためにレジストローラの速度を可変することにも言及している。しかしながら、この特許文献１は、測定した次の用紙に対する補正技術に関するものであって、連続で用紙を送る場合にレジストでの用紙の停止位置がバラつくような場合（例えば薄紙と厚紙を混在させたような場合等）では効果を得ることができない。
【０００８】
縦レジストの精度向上の技術ではないが、小紙間で用紙を搬送するための技術としては特許文献２や特許文献３に開示がある。即ち、特許文献２は、給紙手段レジストローラへ正しいタイミングで用紙を送る方法ではあり、レジスト上流にある用紙検知センサが用紙を検出したタイミングが所定のタイミングとの差時間に応じて搬送手段の速度を決定している。特許文献３では、レジストローラの回転速度を搬送開始時に画像形成速度より高速にし、記録紙が画像形成部に到達する前に搬送速度を画像形成速度に減速している。
【０００９】
また印刷機に関する技術では、特許文献４や特許文献５がある。特許文献４では、用紙送り手段の下流に用紙先端を検知する検知手段を備え、この検知情報とドラムの回転位置情報に基づいて用紙の理想位置に対する位置ずれを検知して、位置ずれに応じて用紙送り速度を補正している。特許文献５では、製版マスタ圧胴へ用紙を搬送供給する装置に関し、レジストローラの下流に用紙先端を検知する検知手段を備え、この検知情報に基づいてレジスト手段での用紙滑りを補償するように駆動パルスを変える制御を行う。遅れを修正した後は圧胴の回転速度に戻す。またレジストローラ上流の搬送ローラもレジストローラ部の撓みを一定にするように速度を制御する。
【発明の開示】
【発明が解決しようとする課題】
【００１０】
本発明は、画像形成装置の給紙搬送装置における前述した従来の不具合を解消し、用紙を正確に感光体面上の画像位置に合わせて転写位置へ送り出し、紙種間（薄紙／厚紙、摩擦係数大／小）、経時、クラッチ連結時間等の影響による縦レジストのばらつきを低減することを課題とする。
【００１１】
詳しくは、用紙先端がレジストローラオンから転写位置に達するまでの時間が一定になるよう補正して、縦レジストのばらつきを低減し、しかも転写時には用紙線速を通常の線速とすることで、レジストの増・減速による画像への影響（レジスト線速が通常より大きい場合、画像が縮み、レジスト線速が通常より小さい場合、画像が伸びる）が出ないようにすることを課題とする。
【課題を解決するための手段】
【００１２】
上記課題は、本発明によれば、用紙と画像の位置合わせのタイミングを取るためのレジストローラと、当該レジストローラを駆動するためのモータと、当該モータを駆動するための駆動回路とを有し、レジストローラの下流側で、且つ転写位置までの位置に用紙センサを設け、画像に対してタイミングを合わせてレジストローラから送られた用紙の先端がレジストローラオンから用紙センサの位置に達するまでの時間をカウントし、この時間に応じてレジストローラの回転数を増・減速することにより、レジストローラによる用紙送り速度（レジストローラ線速）の増・減速を行い、用紙先端が転写位置に到達する前にレジストローラの回転数を通常の回転速度に戻すことでレジストローラ線速を通常の線速に戻すことで、解決される。
【００１３】
上記レジストローラ線速の増・減速時にて、「増速時、増速開始から終了までの時間Ｔ間でのレジストローラによる用紙送り量」と「増速開始から終了までの時間Ｔの間、通常のレジストローラ線速Ｖ0で用紙を送った場合の用紙送り量（＝Ｖ0×Ｔ）」との差分ΔＬ、あるいは「減速時、減速開始から終了までの時間Ｔ間でのレジストローラによる用紙送り量」と「減速開始から終了までの時間Ｔを通常のレジストローラ線速Ｖ0で用紙を送った場合の用紙送り量（＝Ｖ0×Ｔ）」との差分ΔＬが、予め設定された「レジストローラオンから用紙先端が用紙センサの位置に達するまでの時間」の狙いの値と実測値との差分ΔＴと、通常のレジストローラ線速Ｖ0との積Ｖ0×ΔＴに等しくなる（ΔＬ＝Ｖ0×ΔＴ）ように、増・減速時のレジストローラ線速を設定するのがよい。
【００１４】
レジストローラ回転数の増・減速時、レジストローラより上流側にある用紙搬送ローラの回転数もレジストローラの増・減速の割合と同様に増・減速させるのが好適である。
【００１５】
レジストローラ増・減速時のレジストローラ線速（レジストローラ回転数）が固定された値であり、増・減速の時間Ｔを変化させることにより上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールするようになっていれば、好都合である。
【００１６】
レジストローラ増・減速の時間Ｔが固定された値であり、増・減速のレジストローラ線速（レジストローラ回転数）を変化させることにより上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールするようになっていることも、好都合である。
【００１７】
レジストローラ増・減速時のレジストローラ線速（レジストローラ回転数）が、複数の設定された値に変速可能であり（無段階に変速可能でないということ）、このレジストローラ線速と、増・減速の時間Ｔを組み合わせて変化させることにより、上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールするようになっていることも、好都合である。
【００１８】
「レジストローラオンから用紙先端が用紙センサの位置に達するまでの時間」の狙いの値と実測値との差分ΔＴが大きすぎることにより、「増・減速時のレジストローラによる用紙送り量」と「増・減速開始から終了までの時間Ｔを通常のレジストローラ線速Ｖ0で用紙を送った場合の用紙送り量（＝Ｖ0×Ｔ）」との差分ΔＬが、
増速時、ΔＬ＜Ｖ0×ΔＴ    （増速時はΔＬ、ΔＴはプラスの値である）
減速時、ΔＬ＞Ｖ0×ΔＴ    （減速時はΔＬ、ΔＴはマイナスの値である）
となってしまう場合、用紙が転写位置に到達する前にレジストローラ線速を通常の線速に戻すならば、一層効果的である。
【発明の効果】
【００１９】
本発明によれば、「レジストローラ駆動オン→レジスト後センサオン」までの時間に応じ、レジストローラ線速を増・減速することで、用紙先端がレジストローラオンから転写位置に達するまでの時間が一定になるよう補正することが可能であり、縦レジのばらつきを低減することができる。また、用紙先端が転写位置に到達する前にレジストローラ線速を通常線速に戻すことで、転写時には用紙線速が通常の線速となり、レジストローラの増・減速による画像へ影響（レジスト線速が通常より大きい場合、画像が縮み、レジスト線速が通常より小さい場合、画像が伸びる）が出ることがない。
【００２０】
上記構成では、レジストローラ後に用紙センサを設け、用紙先端がこのセンサに到達するまでの時間を見ることで狙いとするタイミングからの用紙送りのズレ（ズレ時間：ΔＴ）を検出し、この検出したズレ時間ΔＴからレジストローラの回転数にフィードバックをかけることで、縦レジストがバラつくことを解消させることを目的としているが、狙いとするタイミングからの用紙送りのズレ時間（測定時間と狙いのタイミングとの差分）ΔＴ、通常のレジストローラ線速をＶ0とすると、ズレ量＝Ｖ0×ΔTである。レジストローラの増・減速の時間での用紙の送り量を、このズレ量＝Ｖ0×ΔＴ分だけ増・減して用紙を送ることで、用紙が転写位置に送られるまでに用紙送り量のズレを解消することができる。
【００２１】
レジストローラ回転数の増・減速時、レジストローラより上流側にある用紙搬送ローラの回転数もレジストローラの増・減速の割合と同様に増・減速させることにより、レジストローラにて送られる用紙の線速に対し、上流側にある用紙搬送ローラの用紙送りの影響（上流側ローラの用紙線速がレジストローラより遅い場合には、レジストローラでの用紙搬送の負荷となり、レジストローラでの用紙スリップが大きくなり、用紙線速が狙いより小さくなる；上流側ローラの用紙線速がレジストローラより速い場合には、レジストローラで送られる用紙を後ろから押すようになることから、レジストローラでの用紙線速が狙いより速くなる。等の影響）を与えることがなく、増・減速時のレジストローラによる用紙搬送を安定した線速で行うことができる。増・減速時のレジストローラによる用紙搬送を安定した線速で行うことにより、精度よく縦レジストずれの補正を行うことができ、縦レジストずれを低減できる。
【００２２】
レジストローラ増・減速時のレジストローラ線速（レジストローラ回転数）を固定値とし、増・減速の時間Ｔを変化させることにより、「増・減速時（時間Ｔ間）のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールすれば、レジストモータの増・減速時の制御を簡略化することが可能であり、装置を簡略化できる。
【００２３】
レジストローラ増・減速時のレジストローラ線速（レジストローラ回転数）の増・減速時間Ｔを固定値とし、増・減速の速度を変化させることにより、「増・減速時（時間Ｔ間）のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールすれば、同じくレジストモータの増・減速時の制御を簡略化することが可能であり、装置を簡略化できる。
【００２４】
レジストローラ増・減速時のレジストローラ線速（レジストローラ回転数）を複数の設定された値に変速可能とし、このレジストローラ線速と、増・減速の時間Ｔを組み合わせて変化させることにより、「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールすれば、「レジストローラ駆動オン→レジスト後センサオン」の実測値の狙い値との差ΔＴの大きさに応じて、適切な増・減速線速を決定することで、例えばΔＴが大きいときは増速線速を大きくとって縦レジストのずれの補正能力を大きくし、またΔＴが小さいときには増速線速を小さく抑えることで、騒音、モータの温度上昇、消費電力を抑えることが可能である。また増・減速時間Ｔをコントロールすることで増・減速による用紙送り量の差分ΔＬの量をコントロールしているため、精度よく縦レジストずれの補正を行うことができる。
【００２５】
用紙先端が用紙センサに到達するまでの時間と狙いとするタイミングからのズレ（時間ΔＴ）が大きすぎる場合、用紙先端が転写位置に達するまでにこのズレを補正しきれない場合がある。この場合、用紙が転写位置に到達する前にレジストローラ線速を通常の線速に戻し、転写時の用紙線速を通常の線速に戻すことで画像伸縮の異常画像の発生を抑える。このような制御では、充分に縦レジストの補正はしきれないものの、全く補正をしない場合に比べれば縦レジスト補正の効果はある。このように、ズレの大きな場合でも或る程度の補正を行いつつ、画像の伸び・縮みの副作用を抑えることができる。
【発明を実施するための最良の形態】
【００２６】
以下、本発明の実施の形態を図面に基づいて説明する。
画像形成装置全体の構成としては、従来と基本的に同じであり、感光体１２の周囲に画像を形成するために必要な所定の装置、例えば、帯電装置、露光手段１３、現像装置１４等が設けられているが、説明の簡略化のために、従来と同様な部分については、上記背景技術の項での説明に譲り、ここでは本発明と特に関わりのある部分について述べる。
【００２７】
図１に示すように、レジストローラ１６の用紙搬送下流側に、用紙の有無を検知する用紙センサ（以下、レジスト後センサという）２０が設けられている。このセンサ２０を用いて用紙先端がレジスト後センサ２０に達した時間を計測する。ここで測定された「レジストローラ１６駆動オン→レジスト後センサ２０オン」までの時間に応じ、レジストローラ１６を駆動する不図示のモータの回転数を変えることでレジストローラ線速が増・減速され、用紙先端が転写位置（転写ローラ１５の個所）に到達する前にレジストローラ線速を通常の線速に戻す。つまり、レジストローラ１６を駆動するモータを通常の回転数に戻す。
【００２８】
レジストローラ線速の増・減速は「レジストローラ１６駆動オン→レジスト後センサ２０オン」までの時間の測定値と狙いの値との差分ΔＴ（＝測定値−狙い値）に、レジストローラ１６の回転数にフィードバックがかけられる。
【００２９】
レジストローラ１６の増・減速の時間（＝増・減速開始から終了までの時間）をＴとすると、「時間Ｔ間での増・減速による用紙送り量の増・減分ΔＬ」は、ΔＬ＝「時間Ｔ間での増・減速時のレジストローラ用紙送り量」−「レジストローラが通常線速Ｖ0としたときの時間Ｔ間のレジストローラ用紙送り量」となる。用紙が狙いより遅れる場合のタイミングチャートが図２-1、用紙が狙いより早い場合のタイミングチャートが図２-2である。
【００３０】
このΔＬが、「レジストローラ駆動オン→レジスト後センサオン」までの時間の測定値と狙いの値との差分ΔＴによる用紙送りのズレ量Ｖ0×ΔＴ（Ｖ0×ΔＴがプラス値の場合、レジスト後センサ位置で用紙がＶ0×ΔＴの距離だけ遅れて搬送され、Ｖ0×ΔＴがマイナス値の場合、レジスト後センサ位置で用紙がＶ0×ΔＴの距離だけ早く搬送される）と等しくなるように、増・減速の線速と時間Ｔが設定されている。式で表すと、ΔＬ＝Ｖ0×ΔＴとなるよう、増・減速の線速と時間Ｔが設定されている。
【００３１】
なお図２-1、図２-2では増・減速のモータ立ち上がり時にモータ回転数をいきなり狙いの回転数とするのではなく、徐々に変えている。これはモータの負荷トルク変動による脱調を防止するためステッピングモータ制御では一般的な方法であるが、モータトルクに余裕がある場合には図３-1、図３-2のように、いきなり狙いの回転数に変速することも可能である。この場合、ΔＬ＝「時間Ｔ間での増・減速時のレジストローラ用紙送り量」−「レジストローラが通常線速Ｖ0としたときの 時間Ｔ間のレジストローラ用紙送り量」
＝（Ｖ2-Ｖ0）×Ｔあるいは（Ｖ2’-Ｖ0）×Ｔとなる。
【００３２】
レジストローラ増・減速時のレジストローラ線速（レジストローラ回転数）は増速時Ｖ2、減速時Ｖ2’の固定された値に設定され、増・減速の時間Ｔを変化させることにより、上記「時間Ｔ間での増・減速による用紙送り量の増・減分ΔＬ」の値をコントロールしている。具体的には、「レジストローラ駆動オン→レジスト後センサオン」が狙いより遅れている場合（＝Ｖ0×ΔＴがプラスのとき）、図４-1のようにレジストローラ線速を設定されたＶ2に増速し、増速時間Ｔをコントロールすることで、増速による用紙送り量の差分ΔＬの量をコントロールしている。また「レジストローラ駆動オン→レジスト後センサオン」が狙いより早い場合（＝Ｖ0×ΔＴがマイナスのとき）、図４-2のようにレジストローラ線速を設定されたＶ2’に減速し、減速時間Ｔをコントロールすることで、減速による用紙送り量の差分ΔＬの量をコントロールしている。
【００３３】
また、「レジストローラ駆動オン→レジスト後センサオン」までの時間の測定値と狙いの値との差分ΔＴによる用紙送りのズレ量Ｖ0×ΔＴが大きすぎる場合、用紙先端が転写位置に達するまでにこのズレを補正しきれない場合がある。「増・減速時のレジストローラによる用紙送り量」と「増・減速開始から終了までの時間Ｔを、通常のレジストローラ線速Ｖ0で用紙を送った場合の用紙送り量（＝Ｖ0×Ｔ）」との差分ΔＬが、
増速時、ΔＬ＜Ｖ0×ΔＴ    （増速時はΔＬ、ΔＴはプラスの値）
減速時、ΔＬ＞Ｖ0×ΔＴ    （減速時はΔＬ、ΔＴはマイナスの値）
【００３４】
この場合、用紙が転写位置に到達する前に、レジストローラ線速を通常の線速に戻し、転写時の用紙線速を通常の線速に戻す。
また、レジストローラ増・減速時、レジストローラ１６より上流にある用紙搬送ローラの回転数もレジストローラの増・減速の割合と同様に増・減速させる。
【００３５】
次に別の実施例を説明する。これは上記の例とほぼ同じで以下の点を除けばその他の構成は、上記第１の実施例と同じであるが、「時間Ｔ間での増・減速による用紙送り量の増・減分ΔＬ」の値をコントロールする手段が異なる。即ち、レジストローラ増・減速時のレジストローラ線速（レジストローラ回転数）は、増・減速時間Ｔが固定された値に設定され、増・減速の線速Ｖ2、Ｖ2’を変化させることにより、上記の「時間Ｔ間の増・減速による用紙送り量の増・減分ΔＬ」の値をコントロールする。
【００３６】
具体的には「レジストローラ駆動オン→レジスト後センサオン」が狙いより遅れている場合（＝Ｖ0×ΔＴがプラスのとき）、図５-1のようにレジストローラ線速をΔＴに応じて可変にコントロールされたＶ2に増速し、予め設定された増速時間Ｔ間、増速されることで、用紙送り量の差分ΔＬの量をコントロールしている。また「レジストローラ駆動オン→レジスト後センサオン」が狙いより早い場合（＝Ｖ0×ΔＴがマイナスのとき）、図５-2のようにレジストローラ線速をΔＴに応じて可変にコントロールされたＶ2’に減速し、予め設定された減速時間Ｔ間、減速されることで、用紙送り量の差分ΔＬの量をコントロールしている。
【００３７】
更に別の実施例を説明する。これは上記の例とほぼ同じで以下の点を除けばその他の構成は、上記第１の実施例と同じであるが、「時間Ｔ間での増・減速による用紙送り量の増・減分ΔＬ」の値をコントロールする手段が異なる。即ち、レジストローラ増・減速時のレジストローラ線速（レジストローラ回転数）は、複数の設定された値に変速可能（無段階に変速可能ではない）であり、このレジストローラ線速と、増・減速の時間Ｔを組み合わせて変化させることにより、上記「増・減速時のレジストローラによる用紙送り量」と「増・減速開始から終了までの時間Ｔ間、通常のレジストローラ線速Ｖ0で用紙を送った場合の用紙送り量（＝Ｖ0×Ｔ）」との差分ΔＬの値をコントロールしている。
【００３８】
具体的には「レジストローラ駆動オン→レジスト後センサオン」が狙いより遅れている場合（＝Ｖ0×ΔＴがプラスのとき）、図６-1のようにレジストローラ線速をΔＴに応じて段階的に設定された増速線速Ｖ2（図参照）が決定され、レジストローラが増速され、増速時間Ｔをコントロールすることで増速による用紙送り量の差分ΔＬの量をコントロールしている。この例ではΔＴの大きさに合わせ適当な増速線速を決定し、時間Ｔを調節することでΔＬを微調整している。また「レジストローラ駆動オン→レジスト後センサオン」が狙いより早い場合（＝Ｖ0×ΔＴがマイナスのとき）、図６-2のようにレジストローラ線速をΔＴに応じて段階的に設定された減速線速Ｖ2’（図参照）が決定され、レジストローラが減速され、減速時間Ｔをコントロールすることで減速による用紙送り量の差分ΔＬの量をコントロールしている。この例ではΔＴの大きさに合わせ適当な減速線速を決定し、時間Ｔを調節することでΔＬを微調整している。
【図面の簡単な説明】
【００３９】
【図１】本発明に係る画像形成装置のレジストローラから転写位置までの詳細を示す図である。
【図２】第１実施例にかかるタイミングチャートである。
【図３】レジストモータの回転数を急激に変更する場合のタイミングチャートである。
【図４】レジストローラ増・減速時のレジストローラ回転数を固定値とするする場合のタイミングチャートである。
【図５】第２実施例にかかるタイミングチャートである。
【図６】第３実施例にかかるタイミングチャートである。
【図７】画像形成装置全体の構成を示す図である。
【図８】レジストローラから転写位置までの詳細を示す図である。
【図９】用紙の厚みによってレジストローラニップに突き当たる用紙先端の位置に差が生じることを説明する図である。
【符号の説明】
【００４０】
１２  感光体
１３  露光
１４  現像ユニット
１５  転写ローラ
１６  レジストローラ
２０  レジスト後センサ
【図１】
2006248644.tif 000003
【図２】
2006248644.tif 000004
【図３】
2006248644.tif 000005
【図４】
2006248644.tif 000006
【図５】
2006248644.tif 000007
【図６】
2006248644.tif 000008
【図７】
2006248644.tif 000009
【図８】
2006248644.tif 000010
【図９】
2006248644.tif 000011